(57)【要約】【課題】コードに沿って発光部分が設けられ、各発光部分が一般的な点光源により発光するいわゆるコードライトの各光源に、任意で光ファイバー束を着脱できるようにすることを課題とする。【解決手段】コードに複数のライトが配置されたイルミネーションライトの、各発光部分に装着するイルミネーション用アダプタＸとして、発光部分の外周に係合する円筒体からなる外装部１０と、外装部１０の先端開口に基端が嵌合固定される多数の光ファイバーからなる光ファイバー束２０と、外装部１０に固定される前記発光部分もしくは発光部分に連なる電線部分に着脱可能に係止固定し得る係止手段３０とを設ける。【選択図】  図１
0003152959.tif 000002
【実用新案登録請求の範囲】
【請求項１】
コードに複数のライトが配置されたイルミネーションライトの、各発光部分に装着するアダプタであって、
発光部分の外周に係合する円筒体からなる外装部と、
外装部の先端開口に基端が嵌合固定される投光性のある装飾物からなる装飾体と、
外装部に固定される前記発光部分もしくは発光部分に連なる電線部分に着脱可能に係止固定し得る係止手段と
を有するイルミネーションライト用アダプタ。
【請求項２】
前記装飾体は、多数の光ファイバーからなる光ファイバー束である請求項１に記載のイルミネーションライト用アダプタ。
【請求項３】
前記係止手段は、前記外装部に一端が固定される１本以上の針金から構成される請求項１又は２に記載のイルミネーションライト用アダプタ。
【考案の詳細な説明】
【技術分野】
【０００１】
本考案は、コードに沿ってライトが配列されたイルミネーションライトの各発光部分に取り付け、光に変化を付与するアダプタに関する。
【背景技術】
【０００２】
コードに沿って複数のＬＥＤ光源等を配したいわゆるコードライトは、クリスマスツリーや、店内などの装飾に広く用いられている。コードライトの各光源は、制御回路により、一定間隔で点滅したり、複数の色に変化したりすることで装飾効果が高められることが一般的であるが、さらに、各光源に、光ファイバーを束にして一端側を光源側に固定することで、形状および光源の光り方に対しても変化を与えることが行なわれている。
【考案の概要】
【考案が解決しようとする課題】
【０００３】
しかし、このような光ファイバーによる装飾部分が取り付けられたコードライトは、光ファイバー束が固定されているために、専用品が必要であり、また、すべての光源に光ファイバー束が固定されているため、装飾に際して一部分のみ光ファイバー束を用い、他の部分は点光源でよい場合などには対応することができない。このことは、光ファイバー束による装飾以外にも投光性のある装飾物をコードライトの光源に設ける場合にも同様のことが言える。
本考案は、このような事情に鑑みて、各発光部分が一般的な点光源により発光するいわゆるコードライトの各光源に、任意で投光性のある装飾物を着脱できるようにすることを課題とする。
【課題を解決するための手段】
【０００４】
上記課題を解決するために、本考案は次のような構成を有する。
請求項１に記載の考案は、コードに複数のライトが配置されたイルミネーションライトの、各発光部分に装着するイルミネーションライト用アダプタであって、発光部分の外周に係合する円筒体からなる外装部と、外装部の先端開口に基端が嵌合固定される投光性のある装飾物からなる装飾体と、外装部に固定される前記発光部分もしくは発光部分に連なる電線部分に着脱可能に係止固定し得る係止手段とを有するものである。
請求項２に記載の発明は、前記イルミネーションライト用アダプタにおいて、前記装飾体を、多数の光ファイバーからなる光ファイバー束としたものである。
請求項３に記載の発明は、前記イルミネーションライト用アダプタにおいて、前記係止手段が、前記外装部に一端が固定される１本以上の針金から構成されるものである。
【考案の効果】
【０００５】
請求項１に記載の考案は、イルミネーション用ライトの発光部分に、投光性のある装飾物からなる装飾体を自由に着脱できるので、一般的なイルミネーション用コードライトの任意の光源部分に投光性の装飾物を装着して装飾し、又、光に変化をもたらすことができる。
請求項２に記載の発明は、一般的なイルミネーション用コードライトの任意の発光部分に光ファイバー束を装着して装飾し、光に変化をもたらすことができる。
請求項３に記載の考案は、係止手段を針金により構成し、係止時には、針金をイルミネーションライト用アダプタを装着した発光部分の根元に巻きつけて固定するようにすることで、簡易な構造によって装着作業を迅速かつ簡単に行うことができる。
【図面の簡単な説明】
【０００６】
【図１】実施形態に係るイルミネーションライト用アダプタの斜視図である。
【図２】実施形態に係るイルミネーション用ライトを光源に固定した状態を示す外装部の拡大縦断面図である。
【図３】（ａ）（ｂ）ともに、装飾体を変えたイルミネーションライト用アダプタの変形例をしめす斜視図である。
【考案を実施するための形態】
【０００７】
以下、本考案の実施の形態について、図面を参照しながら説明する。
図１に本実施形態に係るイルミネーションライト用アダプタＸの斜視図を示し、図２にイルミネーションライト用アダプタＸの使用状態を表す外装部１０の拡大縦断面図を示す。
イルミネーションライト用アダプタＸは、装飾体となる複数の光ファイバーを束ねた光ファイバー束２０、ゴム製の円筒体であって、先端側の開口から内部の一定長さの領域部分で、前記光ファイバー束２０が嵌合し、さらに、接着固定される外装部１０と、外装部の基端側に設けられる針金からなる係止部３０が、互いに外装部１０の底面において対向する位置に2本、下垂するように設けられている。外装部１０の太さは、装着する光源Ｌの基端部に嵌合する内径を有するように設定される。
【０００８】
次に、以上のような構成を有するイルミネーションライト用アダプタＸの使用方法について説明する。使用者は、まず、イルミネーションライト用アダプタＸの外装部１０の基端側からイルミネーション用ライトの光源Ｌにイルミネーションライト用アダプタＸを被せて嵌合させる。その後、係止部３０を構成する２本の針金を重ねて、図２に示すように光源Ｌの根元に巻きつける。これにより、イルミネーション用ライトアダプタＸの光源Ｌへの固定が完了する。
本イルミネーションライト用アダプタＸは、このように、任意の光源にのみ、光ファイバー束による発光部分を追加することができ、不要になれば取り外すことができるので、既存のイルミネーション用のコードライトがあれば、柔軟に光ファイバー束による発光体の装飾を行なうことができる。
【０００９】
なお、上記実施形態では、装飾体として光ファイバー束２０を採用しているが、装飾体は、投光性がある装飾物であれば、種々のものが採用できる。具体的には、図３（ａ）に示すような透明な合成樹脂板により形成される星型の装飾体４０や、図３（ｂ）に示すような透明な合成樹脂シートにより形成される花型の装飾体５０等、種々の変形が例示できる。
また、上記実施形態では、係止部として針金を巻きつけるものを示したが、係止部の構造としては、クリップなどで固定するもの、粘着テープなどで固定するもの等、種々の固定方法を採用することができる。
【符号の説明】
【００１０】
Ｘ、Ｙ、Ｚ    イルミネーションライト用アダプタ
Ｌ    光源
１０  外装部
２０  光ファイバー束
３０  係止部
【図１】
0003152959.tif 000003
【図２】
0003152959.tif 000004
【図３】
0003152959.tif 000005